(57)【要約】
【課題】着用しても違和感がなく形態保持性にも優れ、しかも防寒機能にも優れた新たな着衣を提供すること。
【解決手段】表裏の柔軟シート材2a，2bの間に互いに隣接した複数の空気室３を形成すると共に隣合う空気室３，３間に連通部４を設けた二重構造の生地２により形成された着衣であって、適宜部位の前記空気室３に設けられた空気注入口５から空気を出入することにより前記連通部４を経てすべての空気室３に空気を給排できるようにした。
【選択図】図２
0003101127.tif 000002
【実用新案登録請求の範囲】
【請求項１】
表裏の柔軟シート材の間に互いに隣接した複数の空気室を形成すると共に隣合う空気室間に連通部を設けた二重構造の生地により形成された着衣であって、適宜部位の前記空気室に設けられた空気注入口から空気を出入することにより前記連通部を経てすべての空気室に空気を給排できるようにしたことを特徴とする着衣。
【請求項２】
着衣は、雨衣，つなぎ服，上衣，ズボンのいずれかに形成した請求項１の着衣。
【請求項３】
各空気室は、平面矩形状で生地に列設された請求項１又は２の着衣。
【考案の詳細な説明】
【技術分野】
【０００１】
本考案は、必要時に空気を注入し、生地に空気を充満した空気室による厚みを持たせることができるようにして防寒用を兼ねた着衣に関する。
【背景技術】
【０００２】
従来から雨衣やつなぎ服などは、防寒も考慮され、厚手のシート材や複数の布地を重ね合わせた生地で作製されたものが多かった。しかし、これらの着衣は、重量が嵩み、折畳んでもあまり小さくすることができないため、携帯するのには適さなかった。
【０００３】
一方、携帯し易い雨衣として、一枚の柔軟な合成樹脂製のシート材や薄い布地の片面に防水処理を施した生地により作製されたものもあるが、生地が薄すぎるため防寒には適さなかった。また、一枚の薄手の生地により作製されているため、着衣としての形態保持性が悪く、着用時に身体に張り付いたりして着心地が悪いという問題もあった。
【０００４】
上記のような点に鑑み、防寒用衣料として使用できるレインコートが特許文献１に提案されている。この提案に係るレインコートはその生地となる布を二重構造とし、空気の出入口を設け、必要に応じて空気を注入して使用するものであるが、単に生地が二重になっている部位に空気が入れられるため、着衣全体が膨満してしまい、凡そ実用性のある着衣の姿にはならない。また、生地を単に二重にして空気を入れるようにしただけであるため、生地全体に空気が満遍なく均一に行き渡らず、例えば、体を曲げたとき、一部が膨らんでしまい違和感が生じることがあった。
【０００５】
一方、特許文献２には、上下一体型のコート部からなる携帯雨具や上衣部とズボン部とからなる携帯雨具が提案されているが、この提案に係る携帯雨具は、外側に空気の吹き込み口を設けると共に、内側の両肩に空気パットを、内側周囲に多数の空気袋を適宜間隔で設け、これらを空気通路で連通して、着用時に、空気吹込口から空気パットと空気袋に空気を吹き込んで雨具の形態が保持されるようにしたものである。上記の携帯雨具はその帽子部を着脱できるようにし、この帽子部にも、外側に設けた空気の吹き込み口と、表裏二層の生地間の空気室と、内側に設けた適宜数の空気袋とを連通させて設け、空気吹込口から空気を吹き込んだとき帽子の形態が保持されるようにしている。なお、特許文献３には、レインコートに接続する帽子本体の開口周縁部の撓みを無くし、帽子本体の前部が目の前を塞がないようにするために、帽子本体の開口周縁部に空気室を設けてこの空気室を膨張させる構成が開示されている。
【０００６】
上記の特許文献２において提案されている携帯雨具は、形態保持性において優れた面はあるものの、多数の空気袋と空気通路を用意してそれらを連通させる必要があるので、作製に手間がかかり、また、内側の多数の空気袋に空気を入れて着用したとき、それらが膨らんだ状態になっているため、歩行や軽作業などのとき、それらが体に触れて人によっては不快感を与えることもあった。
【特許文献１】実用新案登録第３０５６５７０号公報
【特許文献２】実用新案登録第３０４９１８４号公報
【特許文献３】特開平６−２５７００２号公報
【考案の開示】
【考案が解決しようとする課題】
【０００７】
本考案は、従来のレインコートや雨具などの着衣には、上記のような問題があったことに鑑み、着用しても違和感がなく形態保持性にも優れ、しかも防寒機能にも優れた新たな着衣を提供することを、その課題とするものである。
【課題を解決するための手段】
【０００８】
上記課題を解決することを目的としてなされた本考案の着衣の構成は、表裏の柔軟シート材の間に互いに隣接した複数の空気室を形成すると共に隣合う空気室間に連通部を設けた二重構造の生地により形成された着衣であって、適宜部位の前記空気室に設けられた空気注入口から空気を出入することにより前記連通部を経てすべての空気室に空気を給排できるようにしたことを特徴とするものである。
【０００９】
本考案を適用する着衣としては、具体的には、雨衣，つなぎ服，上衣，ズボンなどが挙げられる。また、本考案における着衣の各空気室は、平面矩形状で生地に列設された構成にすることができる。
【考案の効果】
【００１０】
本考案の着衣は、形態保持性のみならず、防寒機能にも優れ、しかも着用しても違和感がないという利点がある。
【考案を実施するための最良の形態】
【００１１】
本考案の着衣は、雨衣（レインコート），つなぎ服，上衣，ズボンなどに適用することができるが、ここではレインコートとつなぎ服に適用した例について図面により説明する。図１は、本考案着衣の一例であるレインコートの斜視図、図２は図１のレインコートの要部を拡大した斜視図、図３は空気室３の内部構造を示す断面図、図４は本考案着衣の別例のつなぎ服の斜視図である。
【実施例１】
【００１２】
図１〜図３において、1はレインコート、1aはこのレインコート１に接続する帽子本体、３はレインコート１の生地２に形成した空気室である。
【００１３】
生地２は表裏の柔軟シート材2a，2bにより二重構造になっており、空気室３は、これらの柔軟シート材2a，2bの間に形成されている。3a，3bは隣合う空気室３，３を仕切る縦横の仕切りで、ここでは表裏の柔軟シート材2a，2bを熱融着して形成されている。なお、接着剤などにより表裏の柔軟シート材2a，2bを接着して仕切り3a，3bを形成してもよい。
【００１４】
４は隣合うすべての空気室３，３間に設けた連通部で、この連通部４を通して空気が各空気室３に給排されるので、生地２に形成されている複数の空気室３，３…は、隣接する空気室を通してすべてが連通し、空気の給排が可能となる。
【００１５】
５はレインコート１の左肩に設けた空気注入口で、左肩の一つの空気室３に空気Kの注入，排気が可能に取付けられている。従って、この空気注入口５から注入された空気Kは、左肩の一つの空気室３に入った後、この空気室３に隣接する他の空気室３に連通部４を通して空気Kが送られ、更に、この他の空気室３に隣接する別の空気室３に空気Kが送られるというように、すべての空気室３，３…に空気Kが送られ、生地２は空気室３，３…が膨らんだ分、厚みが付与されることとなる。なお、空気注入口５には図示しないが栓が取付けられており、栓を開いて人が空気注入口５により空気を吹き入れることにより注入するが、簡単なポンプにより注入することもできる。また、空気注入口５の位置は、左肩のほか、右肩や背中、襟、腕部などどこに設けてもよく、更に、空気注入口５を２箇所以上設けてもよい。
【００１６】
この実施例では、レインコート１に接続する帽子本体1aにも空気室３を形成してあるが、ここでは帽子本体1aはレインコート１の本体の生地２の空気室３とは連通させないで空気注入口5′を帽子本体1aに別に設け、そこから空気を注入するようにしている。
【００１７】
上記の空気室３は平面矩形状で、生地２を格子状に仕切ることにより形成されているが、空気室３は平面矩形状のほか、平面三角形や平面六角形、平面円形のように任意の平面形状に形成することができる。従って、生地２に形成する仕切りパターンは、格子状のほか、菱形、台形などであってもよい。
【００１８】
生地２の表裏をなす２枚の柔軟シート材2a，2bとしては、塩化ビニル樹脂製のシート材やポリエチレン，ポリプロピレン，ポリスチレン，ポリエステル，ナイロン，レーヨン，ビニロンなどの柔軟な適宜合成樹脂シート材を使用することができる。また、薄い布地に合成樹脂を塗布して気体透過性がないようにした柔軟シート材なども使用することができる。なお、表裏の柔軟シート材2a，2bに異なる素材のシートを使用してもよい。
【００１９】
次に、図４により、本考案着衣をつなぎ服に適用した別例について説明する。なお、図４において図１〜図３と同一の符号は同一の部材を示している。図４において6aは上下一体のつなぎ服６の上衣、6bはズボンである。７は上衣6aの左肩に設けた空気注入口で、左肩にある一つの空気室３に空気の注入，排気が可能に取付けられている。８はズボン6bの左腰部に設けた空気注入口で、左腰部にある一つの空気室３に空気の注入，排気が可能に設けられている。
【００２０】
図４に示したつなぎ服では、上衣6aとズボン6bのそれぞれの空気室３を連通させないようにしているが、連通させてもよく、また、空気室３を上衣6a又はズボン6bのいずれか一方にのみ形成するようにしてもよい。
【００２１】
本考案着衣は上記例の通りであるが、本考案着衣は上衣とズボンが分離している衣服の上衣のみ、ズボンのみにそれぞれ適用することができ、また、ベストなどにも適用することができる。更に、上記のようなレインコートやつなぎ服などの生地に更に薄い布製の裏地や表地を設けてもよい。
【産業上の利用可能性】
【００２２】
本考案着衣は以上の通りであって、空気を抜いた状態で小さく折畳むことができるから携帯性に優れている。また、使用時に空気を注入したとき、形態保持性があるので、着用時に違和感がなく、また、防寒性に優れているので、例えば、登山などにおいて、寒暖の差が大きくて急に寒気におそわれたときなどにも迅速に対応することができる。更に、湖などに落水したときにも救命胴衣の役割もするという利点がある。
【図面の簡単な説明】
【００２３】
【図１】本考案着衣の一例であるレインコートの斜視図である。
【図２】図１のレインコートの要部を拡大した斜視図である。
【図３】空気室３の内部構造を示す断面図である。
【図４】本考案着衣の別例のつなぎ服の斜視図である。
【符号の説明】
【００２４】
１  レインコート
２  生地
2a，2b  表裏の柔軟シート材
３  空気室
3a，3b  仕切り
４  連通部
５，5′，７，８  空気注入口
６  つなぎ服
【図１】
0003101127.tif 000003
【図２】
0003101127.tif 000004
【図３】
0003101127.tif 000005
【図４】
0003101127.tif 000006